(57)【要約】      （修正有）【課題】イベント用のテントに設ける看板を、ワンタッチで簡単に取り付けたり取り外すことができる看板保持具を提供する。【解決手段】設置されたパイプを挟持して看板を保持する看板保持具１１である。看板保持具１１は、一対の挟持片１５、１５と、挟持片１５、１５を開閉するための把持ハンドル１３と、把持ハンドル１３を閉方向に付勢する弾性バネとを備える挟持具１２と、把持ハンドル１３に連設され、長尺な細板状で途中に湾曲部１８が形成された看板保持部材１４と、からなる。看板保持部材１４の保持片１９と挟持具１２との間には、所要の間隔部２６を有する構成である。【選択図】図１
0003186093.tif 000002
【実用新案登録請求の範囲】
【請求項１】
設置されたパイプを挟持して看板を保持する看板保持具であって、
該看板保持具は、
一対の挟持片と、該挟持片を開閉するための把持ハンドルと、該把持ハンドルを閉方向に付勢する弾性バネとを備える挟持具と、
前記把持ハンドルに連設され、長尺な細板状で途中に湾曲部が形成された看板保持部材と、からなり、
該看板保持部材の保持片と前記挟持具との間には、所要の間隔部を有する構成であること
を特徴とする看板保持具。
【請求項２】
前記保持片は、看板にネジを螺着して固定するためのネジ孔が設けられていること
を特徴とする請求項１に記載の看板保持具。
【請求項３】
前記把持ハンドルと、前記看板保持部材の基端部とを適宜長さ重ね合わせてネジ止めして固定したこと
を特徴とする請求項１に記載の看板保持具。
【考案の詳細な説明】
【技術分野】
【０００１】
本考案は、看板保持具に関するものであり、更に詳しくは、例えばイベント用のテントに設ける、出店者名やポップ広告等が表示された看板を、ワンタッチで簡単に取り付けたり取り外すことができる看板保持具に関するものである。
【背景技術】
【０００２】
従来、例えばイベント用のテントに設ける出店者名等が表示された看板は、テントを支える横パイプに針金や紐で縛って吊り下げたり、あるいは、テントの垂れ幕面にガムテープで貼着したりする等の方法で取り付けている。
【０００３】
また、イベントに出品する物品名、会社名、店名、主催者名等の名称を表示した看板は、本来はテントの中央部に掲げることが理想的である。
【０００４】
なお、特開平１０−１５３９７４号公報には、広告を表示する表示板の保持具の発明が開示されており（特許文献１参照）、実用新案登録第３１４４９９０号公報には、ポップカード、販促物の告知用ポスター、シート状の表示体を展示するための表示体保持具の考案が開示されている（特許文献２参照）。
【先行技術文献】
【特許文献】
【０００５】
【特許文献１】特開平１０−１５３９７４号公報
【特許文献２】実用新案登録第３１４４９９０号公報
【考案の概要】
【考案が解決しようとする課題】
【０００６】
従来例のように、看板をテントの横パイプに針金や紐で縛って吊り下げる場合は、落下や位置ズレが生じないよう取り付けるのに意外と手間が掛かり、取り付け作業が面倒であって、結構厄介な作業を伴うことになる。
【０００７】
また、テントの横パイプに看板を吊り下げたり、テントの垂れ幕面に看板を貼着する場合は、垂れ幕の下側のスペースが狭くなってしまい、その結果、売り子と客との顔が互いに見えにくくて、双方のコミュニケーションが取りにくくなるという弊害が生じる。
【０００８】
さらに、看板をガムテープで貼着した場合には、風で剥がれやすいだけでなく、落下した看板が人に当たる恐れがあるという安全対策上の問題点も有している。
【０００９】
従って、従来例における場合においては、看板をワンタッチで簡単に取り付けることと、垂れ幕の下側のスペースを狭くしないことと、看板が落下や位置ズレしないようにすることとに解決しなければならない課題を有している。
【課題を解決するための手段】
【００１０】
前記従来例の課題を解決するための本考案の要旨は、設置されたパイプを挟持して看板を保持する看板保持具であって、該看板保持具は、一対の挟持片と、該挟持片を開閉するための把持ハンドルと、該把持ハンドルを閉方向に付勢する弾性バネとを備える挟持具と、前記把持ハンドルに連設され、長尺な細板状で途中に湾曲部が形成された看板保持部材と、からなり、該看板保持部材の保持片と前記挟持具との間には、所要の間隔部を有する構成であること、である。
【００１１】
また、前記保持片は、看板にネジを螺着して固定するためのネジ孔が設けられていること、；
前記把持ハンドルと、前記看板保持部材の基端部とを適宜長さ重ね合わせてネジ止めして固定したこと、；
を含むものである。
【考案の効果】
【００１２】
本考案に係る看板保持具によれば、看板保持部材の保持片に看板を取り付けてから、挟持具の挟持片をイベント用テントを支える横パイプに挟持すれば、看板をワンタッチで簡単に設置することができる。また、テントの中央部に看板を簡単に掲げることができる。
この場合、看板保持部材は途中に湾曲部を備えて上方に曲がるので、保持片に取り付けられた看板が横パイプと同程度に位置することとなる。また、横パイプよりも下側に垂下する垂れ幕は、保持片と挟持具との間の間隔部に位置することとなる。これらのことから、垂れ幕の下側のスペースが狭くならないので、その結果、売り子と客との顔が互いによく見えて、双方のコミュニケーションが良好になるという種々の優れた効果を奏する。
【００１３】
保持片は、看板にネジを螺着して固定するためのネジ孔が設けられていることによって、看板をネジ孔からネジ止めして保持片に固定すれば、落下や位置ズレのおそれがないという優れた効果を奏する。
【００１４】
把持ハンドルと、前記看板保持部材の基端部とを適宜長さ重ね合わせてネジ止めして固定したことによって、把持ハンドルと看板保持部材とが強固に連結し固定されるという優れた効果を奏する。
【図面の簡単な説明】
【００１５】
【図１】本考案に係る看板保持具１１の斜視図である。
【図２】本考案に係る看板保持具１１の正面図である。
【図３】看板保持部材１４の保持片１９を看板２３の裏面２３ａにガムテープ２５で取り付けた状態を示す正面図である。
【図４】イベント用のテント２７に看板２３を掲げた状態を示す正面図である。
【図５】イベント用のテント２７の横パイプ２８に、看板保持具１１の挟持片１５を挟持した状態を説明する正面図である。
【図６】イベント用のテント２７の横パイプ２８に挟持片１５を挟持した状態を説明する縦断面図である。
【図７】縦パイプ２９に挟持具１２を挟持した状態を説明する正面図である。
【考案を実施するための形態】
【００１６】
次に、本考案の実施の形態について図面を参照しながら説明する。まず、図１及び図２において、符号１１は看板保持具を示し、この看板保持具１１は、挟持具１２と、この挟持具１２の把持ハンドル１３に連設される看板保持部材１４とから構成される。
【００１７】
挟持具１２は、一対の挟持片１５、１５と、この挟持片１５、１５を開閉するための把持ハンドル１３とを有しており、軸部１６を中心にして挟持片１５、１５が開閉可能に構成されている。
【００１８】
また、軸部１６には、コイル状の弾性バネ１７が巻回されており（図１参照）、この弾性バネ１７の存在によって、把持ハンドル１３は挟持片１５、１５の閉方向に強力に付勢されている。
【００１９】
看板保持部材１４は、アルミニウム等の金属材で長尺な細板状に形成されており、その途中に湾曲部１８が設けられて、先端１４ａ側が上方（逆方向）に曲がって形成されている。また、湾曲部１８よりも先端１４ａ側に沿って保持片１９が形成されており、当該部位に看板が取り付けられる。保持片１９と挟持具１２との間には、所要幅の間隔部２６を有する。
【００２０】
保持片１９は、ネジ孔２１が複数箇所に設けられており、このネジ孔２１にネジ２２を螺入して看板２３をネジ止めして固定することができる（図６参照）。その場合は看板２３の落下や位置ズレが生じない。
【００２１】
なお、軽量な看板や小型の看板であれば、通常はネジ２２で看板２３を固定する必要はなく、この場合は保持片１９を看板２３の裏面２３ａに宛がってから、保持片１９と看板２３とをガムテープ２５で貼着すればよい（図３参照）。しかし、看板２３がベニヤ板等のように重量が有り、あるいは大型である場合は、上述のように看板２３をネジ２２止めする必要がある。
【００２２】
また、看板保持部材１４の基端部１４ｂ側と一方の把持ハンドル１３とが、適宜長さ重ね合わさって、ネジ２０止め固定されており、把持ハンドル１３と看板保持部材１４とが強固に連結し固定される。
【００２３】
次に、看板保持具１１の使用方法の一例について説明する。まず、図３に示すように、看板保持部材１４の保持片１９を看板２３の裏面２３ａにガムテープ２５で取り付ける。図示するように看板２３が横長形状である場合は、２個以上の看板保持具１１を適宜の間隔を開けて用いることが望ましい。
【００２４】
そして、挟持具１２の挟持片１５、１５をイベント用のテント２７を支える横パイプ２８に挟持すれば（図５参照）、看板２３をワンタッチで簡単に設置することができる（図４参照）。また、イベント用のテント２７の中央部に看板２３を簡単に掲げることができる。
【００２５】
この場合、看板保持部材１４は途中に湾曲部１８を備えて上方に曲がるので、その結果、看板２３が横パイプ２８とほぼ同程度に位置することとなる（図６参照）。また、横パイプ２８よりも下側に垂下する垂れ幕２７ａは、保持片１９と挟持具１２との間の間隔部２６に位置することとなる（図６参照）。これらのことから、垂れ幕２７ａの下側のスペース２７ｂが狭くならないので（図４から図６参照）、その結果、売り子と客との顔が互いによく見えて、双方のコミュニケーションが良好になる。
【００２６】
次に、看板保持具１１の他の使用方法の一例について説明する。図７に示すように、直立させた縦パイプ２９に挟持具１２を挟持すれば、縦型の看板３０をワンタッチで簡単に取り付けることができる。
【００２７】
以上のように構成される看板保持具１１は、設置されたパイプに挟持具１２を挟持すれば、看板２３をワンタッチで簡単に取り付けることができて、また、テント２７の中央部に看板２３を簡単に掲げることができる。
【符号の説明】
【００２８】
１１  看板保持具
１２  挟持具
１３  把持ハンドル
１４  看板保持部材
１４ａ  先端
１４ｂ  基端部
１５  挟持片
１６  軸部
１７  弾性バネ
１８  湾曲部
１９  保持片
２０  ネジ
２１  ネジ孔
２２  ネジ
２３  看板
２３ａ  裏面
２５  ガムテープ
２６  間隔部
２７  テント
２７ａ  垂れ幕
２７ｂ  スペース
２８  横パイプ
２９  縦パイプ
３０  看板
【図１】
0003186093.tif 000003
【図２】
0003186093.tif 000004
【図３】
0003186093.tif 000005
【図４】
0003186093.tif 000006
【図５】
0003186093.tif 000007
【図６】
0003186093.tif 000008
【図７】
0003186093.tif 000009